(57)【要約】【課題】壁を構成する板材が動いても止水性能が低下しにくい外壁目地構造を提供する。【解決手段】外壁目地構造は、側端面に沿って溝壁１４Ａが傾斜した溝部１４が形成された板状の第１外壁材（外壁パネル１２Ａ）と、第１外壁材の側端面と対向する側端面に、溝部１４に係合する突条１６が形成された板状の第２外壁材（外壁パネル１２Ｂ）と、弾性材料によって構成され、溝壁１４Ａと突条１６との間に圧縮された状態で配置され、第１外壁材及び第２外壁材の外側と内側との間を止水する縦目地止水部材５２と、を備えている。【選択図】図２
2018119379.tif 000002
【特許請求の範囲】
【請求項１】
溝壁が傾斜した溝部が側端面に沿って形成された板状の第１外壁材と、
前記溝部に係合する突条が前記側端面と対向する側端面に沿って形成された板状の第２外壁材と、
弾性材料によって構成され、前記溝壁と前記突条との間に圧縮された状態で配置され、前記第１外壁材及び前記第２外壁材の外側と内側との間を止水する縦目地止水部材と、
を備えた外壁目地構造。
【請求項２】
溝部が側端面に沿って形成された板状の第１外壁材と、
前記溝部に係合する突条が前記側端面と対向する側端面に沿って形成された板状の第２外壁材と、
弾性材料によって構成され、前記第１外壁材における前記側端面と前記第２外壁材における前記側端面との間に圧縮された状態で配置され、前記第１外壁材及び前記第２外壁材の外側と内側との間を止水する縦目地止水部材と、
を備えた外壁目地構造。
【請求項３】
前記第１外壁材及び前記第２外壁材の下方に形成された横目地に配置され、前記縦目地止水部材を伝って流れた流水を受け止めて前記外側へ流す水受け部材を備えた、請求項１又は請求項２に記載の外壁目地構造。
【請求項４】
前記水受け部材は、平面視で前記縦目地止水部材の屋内側に配置された水受け部と、前記水受け部の両端から屋外側に向かって延出された導水部と、を備えている、請求項３に記載の外壁目地構造。
【請求項５】
前記水受け部材は、前記水受け部及び前記導水部によって囲まれる部分に底板が形成され、前記導水部の外側面に、前記横目地に沿って配置された横目地止水部材の端面が突き付けられている、請求項４に記載の外壁目地構造。
【発明の詳細な説明】
【技術分野】
【０００１】
本発明は、外壁目地構造に関する。
【背景技術】
【０００２】
下記特許文献１には、外壁パネルの縦目地にバックアップ材を挿入してシーリング材を充填した外壁目地構造が開示されている。
【先行技術文献】
【特許文献】
【０００３】
【特許文献１】特開２００３−２３９４９１号公報
【発明の概要】
【発明が解決しようとする課題】
【０００４】
上記特許文献１の外壁目地構造では、地震時などに外壁パネルが動いた場合、シーリング材と外壁パネルとの接合面が破断する可能性がある。このような場合、シーリング材による止水性能が低下し、破断した接合面から外壁パネルの屋内側へ雨水が浸入する虞がある。
【０００５】
本発明は上記事実を考慮して、壁を構成する板材が動いても止水性能が低下しにくい外壁目地構造を提供することを目的とする。
【課題を解決するための手段】
【０００６】
第１態様の外壁目地構造は、溝壁が傾斜した溝部が側端面に沿って形成された板状の第１外壁材と、前記溝部に係合する突条が前記側端面と対向する側端面に沿って形成された板状の第２外壁材と、弾性材料によって構成され、前記溝壁と前記突条との間に圧縮された状態で配置され、前記第１外壁材及び前記第２外壁材の外側と内側との間を止水する縦目地止水部材と、
を備えている。
【０００７】
第１態様の外壁目地構造によると、第１外壁材の側端面に沿って形成された溝部の溝壁が傾斜している。そして、この傾斜した溝壁と、第２外壁材の側端面に沿って形成された突条との間に、弾性材料によって構成された縦目地止水部材が圧縮されて配置されている。
【０００８】
これにより、第１外壁材又は第２外壁材の少なくとも一方が、互いの側端面が離れる方向（第１外壁材を正面視して左右方向）へ動いたとき、あるいは、互いの側端面がずれる方向（第１外壁材を正面視して前後方向）へ動いたときのいずれにおいても、圧縮された縦目地止水部材が元の状態に近づくことにより溝壁及び突条と接触した状態が維持されるので、縦目地止水部材と、溝壁及び突条との間に隙間が生じにくい。このため、第１外壁材及び第２外壁材の外側と内側との間の止水性能が低下しにくい。なお、「外側」とは屋外側の空間を指し、「内側」とは屋内側の空間を指す。
【０００９】
第２態様の外壁目地構造は、溝部が側端面に沿って形成された板状の第１外壁材と、前記溝部に係合する突条が前記側端面と対向する側端面に沿って形成された板状の第２外壁材と、弾性材料によって構成され、前記第１外壁材における前記側端面と前記第２外壁材における前記側端面との間に圧縮された状態で配置され、前記第１外壁材及び前記第２外壁材の外側と内側との間を止水する縦目地止水部材と、を備えている。
【００１０】
第２態様の外壁目地構造によると、前記第１外壁材における前記側端面と前記第２外壁材における前記側端面との間に、弾性材料によって構成された縦目地止水部材が圧縮されて配置されている。
【００１１】
これにより、第１外壁材又は第２外壁材の少なくとも一方が、互いの側端面が離れる方向（第１外壁材を正面視して左右方向）へ動いたとき、圧縮された縦目地止水部材が元の状態に近づくことにより第１外壁材の側端面および第２外壁材の側端面と接触した状態が維持されるので、縦目地止水部材と、第１外壁材の側端面および第２外壁材の側端面との間に隙間が生じにくい。また、互いの側端面がずれる方向（第１外壁材を正面視して前後方向）へ動いたときにおいても、縦目地止水部材の圧縮状態は維持されるため、縦目地止水部材と、第１外壁材の側端面および第２外壁材の側端面との間に隙間が生じにくい。このため、第１外壁材及び第２外壁材の外側と内側との間の止水性能が低下しにくい。
【００１２】
第３態様の外壁目地構造は、前記第１外壁材及び前記第２外壁材の下方に形成された横目地に配置され、前記縦目地止水部材を伝って流れた流水を受け止めて前記外側へ流す水受け部材を備えている。
【００１３】
第３態様の外壁目地構造によると、第１外壁材及び第２外壁材の間の縦目地において縦目地止水部材を伝って流れた雨水が、水受け部材によって受け止められて、外側（屋外側の空間）へ流される。これにより、縦目地から横目地へ流れた雨水が横目地を伝って内側（屋内側の空間）へ浸入しにくい。
【００１４】
第４態様の外壁目地構造は、前記水受け部材は、平面視で前記縦目地止水部材の屋内側に配置された水受け部と、前記水受け部の両端から屋外側に向かって延出された導水部と、を備えている。
【００１５】
第４態様の外壁目地構造によると、第１外壁材及び第２外壁材の間の縦目地において縦目地止水部材を伝って流れた雨水が、水受け部によって止水される。また、水受け部によって止水された雨水は、導水部に沿って横目地の屋外側へ流れる。
【００１６】
これにより、第１外壁材及び第２外壁材の間の縦目地の下方にさらに縦目地がある場合、水受け部によって止水された雨水は、この縦目地を伝って下方へ流れる。又は、導水部に沿って横目地の屋外側へ流れる。
【００１７】
また、第１外壁材及び第２外壁材の間の縦目地の下方に縦目地がない場合、水受け部によって止水された雨水は、導水部に沿って横目地の屋外側へ流れる。
【００１８】
第５態様の外壁目地構造は、前記水受け部材は、前記水受け部及び前記導水部によって囲まれる部分に底板が形成され、前記導水部の外側面に、前記横目地に沿って配置された横目地止水部材の端面が突き付けられている。
【００１９】
第５態様の外壁目地構造によると、水受け部材には、水受け部及び導水部によって囲まれる部分に底板が形成されているため、水受け部材の下方に雨水が流れにくい。これにより、水受け部によって止水された雨水は、導水部に沿って屋外側へ流れる。さらに導水部の外側面に横目地止水部材の端面が突き付けられているため、導水部に沿って屋外側へ流れた雨水が、導水部の外側から屋内側へ流れることが抑制される。
【発明の効果】
【００２０】
第１態様の外壁目地構造によると、壁を構成する板材が動いても止水性能が低下しにくい。
【００２１】
第２態様の外壁目地構造によると、壁を構成する板材が動いても止水性能が低下しにくい。
【００２２】
第３態様の外壁目地構造によると、縦目地から横目地へ流れた雨水が、横目地から屋内側へ浸入することを抑制できる。
【００２３】
第４態様の外壁目地構造によると、縦目地から横目地へ流れた雨水を、下方の縦目地又は横目地の屋外側へ流すことができる。
【００２４】
第５態様の外壁目地構造によると、横目地の下方に縦目地がない場合においても、縦目地から横目地へ流れた雨水が、横目地から屋内側へ浸入することを抑制できる。
【図面の簡単な説明】
【００２５】
【図１】本発明の第１実施形態に係る外壁目地構造が適用された壁体を示す部分立面図である。
【図２】本発明の第１、第２実施形態に係る外壁目地構造における縦目地の構成を示す、図１、図５における２−２線断面図である。
【図３】本発明の第１実施形態に係る外壁目地構造における横目地の構成を示す、図１における３−３線断面図である。
【図４】本発明の第１実施形態に係る外壁目地構造における水受け部材の構成を示す斜視図である。
【図５】本発明の第２実施形態に係る外壁目地構造が適用された壁体を示す部分立面図である。
【図６】本発明の第２実施形態に係る外壁目地構造における横目地の構成を示す、図５における６−６線断面図である。
【図７】本発明の第２実施形態に係る外壁目地構造における水受け部材の構成を示す斜視図である。
【図８】本発明の第１、第２実施形態に係る外壁目地構造における縦目地止水部材の設置位置の変形例を示す平断面図である。
【発明を実施するための形態】
【００２６】
［第１実施形態］
（外壁目地構造）
第１実施形態における外壁目地構造は、図１に示す壁体１０を構成する外壁パネル１２の縦目地２０及び横目地３０に適用される止水構造である。
【００２７】
外壁パネル１２はＡＬＣ（軽量気泡コンクリート）板とされ、図１の紙面奥側の建物躯体に金物を用いて固定されることで乾式構造の壁体１０を形成している。
【００２８】
互いに隣り合う外壁パネル１２の間の縦目地２０は、上下の外壁パネル１２間において連続した目地構成（通し目地、芋目地）とされており、縦目地２０と横目地３０の交差部Ｅ１においては、縦目地２０を止水するシール材４２が通し材とされ、横目地３０を止水するシール材４４が、シール材４２に突き付け接着されている。
【００２９】
なお、シール材４２、４４はそれぞれ縦目地２０、横目地３０を最も屋外側に近い部分で止水する不定形シール材（弾性シーリング）であり、外壁パネル１２を建物躯体に固定した後、コーキングガン等を用いて充填施工される。なお、以下の説明において、シール材４２、４４を総称して一次止水材４０と称す場合がある。また、シール材４２、４４の材質としては、シリコン系、変性シリコン系、ポリウレタン系等の樹脂が適宜用いられる。
【００３０】
（縦目地）
縦目地２０は、図１、図２に示すように、建物躯体（不図示）に固定された状態で互いに横方向に隣り合う２枚の外壁パネル１２（外壁パネル１２Ａ、１２Ｂ）の継ぎ目である。
【００３１】
図２に示すように、外壁パネル１２の一方の側端面には溝部１４が形成され、他方の側端面には突条（いわゆる実（サネ））１６が形成されている。この溝部１４及び突条１６は、外壁パネル１２の上端から下端まで側端面に沿って形成されている。
【００３２】
溝部１４の溝壁１４Ａは、溝底１４Ｂから外壁パネル１２の側端面１２Ｅへ向かって互いに離れる方向に傾斜している。また、突条１６の側壁１６Ａは、頂面１６Ｂから側端面１２Ｅへ向かって互いに離れる方向に傾斜している。
【００３３】
外壁パネル１２は建物躯体（不図示）に固定された状態で、互いに隣り合う一方の外壁パネル１２Ａの側端面に形成された溝部１４に対して、他方の外壁パネル１２Ｂにおける、外壁パネル１２Ａと対向する側端面に形成された突条１６が係合して配置されている。
【００３４】
なお、「係合」とは、図２に示すように互いの側端面１２Ｅ同士や溝壁１４Ａと側壁１６Ａとが接触した状態のほか、外壁パネル１２Ａ、１２Ｂを正面視して溝部１４と突条１６とが重なり合う程度に外壁パネル１２Ａ、１２Ｂ間に隙間が開いている状態を含むものとする。
【００３５】
（縦目地止水部材）
溝部１４と突条１６とが係合された状態で、溝壁１４Ａと側壁１６Ａとの間には、ＥＰＤＭ（エチレンプロピレンゴム）製の縦目地止水部材５２が圧縮された状態で保持されている。なお、圧縮前の状態は図２に破線で示されている。また、縦目地止水部材５２の材質としては、ＥＰＤＭの他、ＣＲ（クロロプレン）系ゴム、ＮＲ（天然ゴム）系ゴムスポンジ、ＮＢＲ（アクリトニトリル、ブタジエン）系ゴムなど、各種の独立気泡性の弾性樹脂材料を用いることができる。
【００３６】
縦目地止水部材５２が配置されているのは、外壁パネル１２の中心線ＣＬからみて屋外側（図２における矢印ＯＵＴ側）における溝壁１４Ａと側壁１６Ａとの係合面である。また、この係合面よりさらに屋外側に形成された切り欠き部１８には、先述したシール材４２（一次止水材４０）が配置されている。
【００３７】
これにより縦目地２０には、外壁パネル１２の中心線ＣＬよりも屋外側に、シール材４２を一次止水材４０とし、縦目地止水部材５２を二次止水材とする２重の止水構造が形成されている。
【００３８】
（横目地）
横目地３０は、図１に示すように、建物躯体（不図示）に固定された状態で互いに上下方向に隣り合う２枚の外壁パネル１２（例えば外壁パネル１２Ａ、１２Ｃ）の継ぎ目である。
【００３９】
図３には、図１、２における外壁パネル１２Ａ、１２Ｂより下部の構造、すなわち、外壁パネル１２Ｃ、１２Ｄと、横目地３０の内部構造が平面視で示されている。また、図４には、外壁パネル１２Ｃ、１２Ｄ、横目地３０の内部構造及び外壁パネル１２Ｂを分解した斜視図が示されている。なお、図４においては外壁パネル１２Ａ、シール材４２の図示は省略してある。
【００４０】
（水受け部材）
図３に示すように、横目地３０には、平面視で縦目地止水部材５２を屋内側及び側方から取り囲むようにＥＰＤＭ製の水受け部材５４が配置されている。水受け部材５４は、縦目地止水部材５２の屋内側に配置された水受け部５４Ａと、水受け部５４Ａの両端から屋外側に向かって延出された導水部５４Ｂと、を備えた馬蹄形状の止水部材である。図３においては、水受け部５４Ａと導水部５４Ｂとの境界部分を便宜的に２点鎖線で表現している。
【００４１】
水受け部材５４は、シート状のＥＰＤＭを馬蹄形状に切り出す事で形成されている。なお、水受け部材５４の材質としては、ＥＰＤＭの他、ＣＲ（クロロプレン）系ゴム、ＮＲ（天然ゴム）系ゴムスポンジ、ＮＢＲ（アクリトニトリル、ブタジエン）系ゴムなど、各種の独立気泡性の樹脂材料を用いることができる。
【００４２】
図４に示すように、水受け部材５４における導水部５４Ｂの外側面には、横目地３０に沿って配置された横目地止水部材５６の端面が突き付けられている。導水部５４Ｂの前面（屋外側の面）と、横目地止水部材５６の側面（屋外側の面）は略面一とされている。
【００４３】
また、水受け部材５４及び横目地止水部材５６の屋外側には、先述したシール材４４（一次止水材４０）が配置されている。シール材４４は不定形シール材（弾性シーリング）であり、水受け部材５４及び横目地止水部材５６がバックアップ材として機能している。なお、シール材４４及び横目地止水部材５６は、外壁パネル１２の中心線ＣＬよりも屋外側に配置されている。
【００４４】
これにより、横目地３０には、外壁パネル１２の中心線ＣＬよりも屋外側に、シール材４４を一次止水材４０とし、横目地止水部材５６を二次止水材とする２重の止水構造が形成される。
【００４５】
（耐火目地材）
横目地３０には、さらに耐火目地材６０が設けられている。耐火目地材６０はロックウール保温板やセラミックファイバーブランケットなどを用いて形成される不燃材料であり、水受け部材５４及び横目地止水部材５６よりも屋内側に配置されている。
【００４６】
（作用・効果）
第１実施形態における外壁目地構造によると、図２に示すように、横目地３０の外壁パネル１２の中心線ＣＬよりも屋外側に、シール材４２を一次止水材４０とし、縦目地止水部材５２を二次止水材とする２重の止水構造が形成される。したがって、１重の止水構造と比較して止水性能が高い。
【００４７】
また、溝部１４と突条１６とが係合された状態で、溝壁１４Ａと側壁１６Ａとの間には、縦目地止水部材５２が圧縮された状態で保持されている。このため、外壁パネル１２Ａ、１２Ｂが相対的に離れる方向（図２におけるＬ方向又はＲ方向）へ動いたときには、縦目地止水部材５２が元の状態に近づくことにより溝壁１４Ａ及び側壁１６Ａと接触した状態が維持される。また、外壁パネル１２Ａ、１２Ｂが相対的にずれる方向（図２におけるＩＮ方向及びＯＵＴ方向）へ動いたときにも、縦目地止水部材５２が元の状態に近づくことにより溝壁１４Ａ及び側壁１６Ａと接触した状態が維持される。これにより、壁体１０を形成する外壁パネル１２Ａ、１２Ｂが動いても、壁体１０の止水性能が低下しにくい。
【００４８】
さらに、壁体１０においては、施工誤差により横方向に隣り合う外壁パネル１２の間に、ばらつきのある隙間が生じることがある。このような寸法誤差に対しても、圧縮された縦目地止水部材５２は追随できる。
【００４９】
また、第１実施形態における外壁目地構造によると、図３に示すように、平面視で縦目地止水部材５２を屋内側及び側方から取り囲むように水受け部材５４が配置されている。このため、例えばシール材４２（図１、２参照）の内側に浸入し図４に示すように縦目地止水部材５２の手前側を伝って流れた雨水（Ｗ１）が、水受け部材５４よりも屋内側へ流れることが抑制（止水）される。
【００５０】
また、水受け部材５４によって止水された雨水は、外壁パネル１２Ｃ、１２Ｄの間の縦目地を伝って下方へ流れる（Ｗ２）。さらに雨水は、横目地止水部材５６とシール材４４との間を伝って横方向へ流れることもできる（Ｗ３）。
このように、縦目地止水部材５２を伝って流れた雨水（Ｗ１）は、横目地３０において水受け部材５４によって止水され、屋内側へ流れにくい。
【００５１】
また、第１実施形態における外壁目地構造では、水受け部材５４は、シート状のＥＰＤＭを馬蹄形状に切り出す事で形成されている。このようにして水受け部５４Ａと導水部５４Ｂとを一体的に成型することで、これらを別々に形成して接着する場合と比較して、止水性が高められている。
【００５２】
また、第１実施形態における外壁目地構造によると、図２に示すように、外壁パネル１２はＡＬＣ板とされ、建物躯体（不図示）に固定された状態で、一方の外壁パネル１２Ａの溝部１４に対して他方の外壁パネル１２Ｂの突条１６が係合して配置されている（いわゆる実（サネ）構造）。これにより、例えば溝部１４や突条１６を備えない外壁パネルを用いて壁を形成する場合と比較して、正面視で隙間がなく遮炎性能が高い。また、溝部１４と突条１６とを係合させることにより、外壁パネル１２Ａ、１２Ｂの前後方向（ＯＵＴ方向及びＩＮ方向）の位置合わせをしやすい。
【００５３】
［第２実施形態］
第２実施形態の説明において、第１実施形態と同じ構成のものは、同符号を付すると共に、適宜省略して説明する。
【００５４】
（外壁目地構造）
第２実施形態における外壁目地構造は、図５に示す壁体１１を構成する外壁パネル１２の縦目地２１及び横目地３１に適用される止水構造である。
【００５５】
壁体１１は、縦目地２１が上下の外壁パネル１２間において不連続である目地構成（馬目地）とされており、縦目地２１と横目地３１の交差部Ｅ２においては、横目地３１を止水するシール材４４が通し材とされ、縦目地２１を止水するシール材４２がシール材４４に突き付け接着されている。
【００５６】
（縦目地）
第２実施形態における縦目地２１の構成は、図２に示されるとおり第１実施形態における縦目地２０の構成と同様である。
【００５７】
（横目地）
図６には、図２、５における外壁パネル１２Ａ、１２Ｂより下部の構造、すなわち、外壁パネル１２Ｆと、横目地３１の内部構造が平面視で示されている。また、図７には、外壁パネル１２Ｆ、横目地３１の内部構造及び外壁パネル１２Ｂを分解した斜視図が示されている。なお、図７においては外壁パネル１２Ａ、シール材４２の図示は省略してある。
【００５８】
（水受け部材）
図７に示すように、横目地３１における水受け部材５８には、水受け部５８Ａ及び導水部５８Ｂによって囲まれる部分に底板５８Ｃが形成されている。この底板５８Ｃは、ＰＰ（ポリプロピレン）又はＣＲ（クロロプレン）のシート状部材であり、水受け部５８Ａ及び導水部５８Ｂに溶着されると共に、ブチルテープを用いて外壁パネル１２Ｆの上面に接着されている。
【００５９】
（作用・効果）
第２実施形態における外壁目地構造では、図５に示すように縦目地２１が上下の外壁パネル１２間において不連続の目地構成とされている。このため、図７に示す外壁パネル１２Ａ（不図示）と外壁パネル１２Ｂの間の縦目地止水部材５２を伝って流れた雨水（Ｗ１）は下方に流れることができない。このため、雨水は水受け部材５８における水受け部５８Ａ及び導水部５８Ｂによって囲まれる部分に一時的に滞留するが、水受け部５８Ａ及び導水部５８Ｂによって囲まれる部分には、底板５８Ｃが形成されているため、滞留した雨水が水受け部５８Ａよりも屋内側に流れることが抑制される。
【００６０】
そして、雨水は横目地止水部材５６とシール材４４との間を伝って横方向へ流れ（Ｗ３）、図示しない外壁パネル１２Ｆの端部から下方向へ排出され、最終的には壁体１１の最下部から外部へ排出される。
【００６１】
このように、第２実施形態における外壁目地構造では、水受け部材５８に底板５８Ｃを形成することにより、図５に示すように縦目地２１が上下方向に不連続である壁体１１においても、止水性能が低下しにくい構成とすることができる。
【００６２】
なお、第１、第２実施形態における外壁パネル１２は、柱の一部であってもよい。すなわち、本発明における第１外壁材、第２外壁材とは、屋外に面した垂直面に用いられる外装材全般を指す。
【００６３】
また、第１、第２実施形態においては、図３、図６に示すように、水受け部材５４、５８と横目地止水部材５６とは別々に形成され、横目地止水部材５６を水受け部材５４、５８に突き付けて配置しているが、本発明の実施形態はこれに限らない。例えば水受け部材５４、５８と横目地止水部材５６とを互いに接着したり、ひとつの部材として一体的に形成してもよい。このようにすれば水受け部材５４、５８と横目地止水部材５６との間に隙間が生じないので、横目地３０における止水性が向上する。
【００６４】
また、第１、第２実施形態において外壁パネル１２はＡＬＣ板とされているが、本発明の実施形態はこれに限らない。例えばＥＣＰ（押出成形セメント板）等の防火性能を備えた材料を用いることができる。ＥＣＰは無筋構造のため、雨水の浸入による劣化が少ない。
【００６５】
また、第１、第２実施形態における壁体１０、１１においては、全ての縦目地および全ての横目地に縦目地止水部材５２や水受け部材５４、５８を適用する必要はない。例えば壁体１０の端部において直交する壁体と接合される部分や、窓や進入口などが取付けられる開口部などに用いる外壁パネルには、溝部１４及び突条１６が形成されない場合があるが、このような場所においては、不定形シール材と、不定形シール材よりも内側に配置されるバッカー材により雨水を止水してもよい。
【００６６】
また、第１、第２実施形態においては、図２に示す縦目地２０、２１の切り欠き部１８にはシール材４２のみが配置されているが、本発明の実施形態はこれに限らず、シール材４２の屋内側にバックアップ材を配置してもよい。バックアップ材を配置することで、シール材４２による止水性を高めることができる。
【００６７】
また、第１、第２実施形態においては、図２に示す縦目地止水部材５２は溝壁１４Ａと側壁１６Ａとの間に配置されているが、本発明の実施形態はこれに限らず、例えば図８に示す縦目地止水部材５３のように、外壁パネル１２Ａ、１２Ｂそれぞれの側端面１２Ｅの間に圧縮された状態で配置してもよい。
【００６８】
縦目地止水部材５３をこのように配置しても、外壁パネル１２Ａ、１２Ｂが相対的に離れる方向（図８におけるＬ方向又はＲ方向）へ動いたときには、圧縮された縦目地止水部材５３が元の状態に近づくことにより外壁パネル１２Ａ、１２Ｂのそれぞれの側端面１２Ｅと接触した状態が維持されるので、縦目地止水部材５３と、外壁パネル１２Ａ、１２Ｂのそれぞれの側端面１２Ｅとの間に隙間が生じにくい。また、外壁パネル１２Ａ、１２Ｂが互いの側端面１２Ｅがずれる方向（図８におけるＩＮ方向及びＯＵＴ方向）へ動いたときにおいても、縦目地止水部材５３の圧縮状態は維持されるため、縦目地止水部材５３と、外壁パネル１２Ａ、１２Ｂが互いの側端面１２Ｅとの間に隙間が生じにくい。
【符号の説明】
【００６９】
１２Ａ  外壁パネル（第１外壁材）
１２Ｂ  外壁パネル（第２外壁材）
１２Ｅ  側端面
１４    溝部
１４Ａ  溝壁
１６    突条
３０    横目地
３１    横目地
５２    縦目地止水部材
５３    縦目地止水部材
５４    水受け部材
５４Ａ  水受け部
５４Ｂ  導水部
５６    横目地止水部材
５８    水受け部材
５８Ａ  水受け部
５８Ｂ  導水部
５８Ｃ  底板
【図１】
2018119379.tif 000003
【図２】
2018119379.tif 000004
【図３】
2018119379.tif 000005
【図４】
2018119379.tif 000006
【図５】
2018119379.tif 000007
【図６】
2018119379.tif 000008
【図７】
2018119379.tif 000009
【図８】
2018119379.tif 000010